(57)【要約】【課題】自車両が接近することに不安感を抱く通行者を的確に察知して、当該通行者の方角に向けて自車両が接近する旨を報知することで、当該通行者の不安感を解消させる。【解決手段】前方走行環境情報取得部２１ｄで認識した通行者３５が自車両Ｍの方向を向いているか否かの判定を含む認識状態報知条件（Ｓ４〜Ｓ８）を満足した場合、この通行者３５を報知対象通行者３６と特定し（Ｓ９）、報知対象通行者３６と運転席上に設定された注視位置Ｍｓとを結ぶ線を透過するフロントガラスＭｇの位置である投影位置Ｍｌ，Ｍｒを求める（Ｓ１０）。認識状態報知部２９は投影位置Ｍｌ，Ｍｒに、認識状態を示すメッセージを表示し（Ｓ１１）、報知対象通行者３６に報知する。これにより、自車両Ｍが接近することに不安感を抱く報知対象通行者３６を的確に察知し、この報知対象通行者３６に対して自車両Ｍが接近する旨を報知することができる。【選択図】図５
2020131876.tif 000002
【特許請求の範囲】
【請求項１】
自車両を走行ルートに沿って自動走行させる車両制御演算部と、
前記自車両前方の走行環境情報を取得する前方走行環境情報取得部と、
前記前方走行環境情報取得部で取得した前記走行環境情報に基づいて前記自車両の接近を報知する対象となる通行者を認識する報知対象通行者認識演算部と、
前記報知対象通行者認識演算部で報知対象となる前記通行者を認識した場合、該通行者に対して認識している旨の認識状態を報知する認識状態報知部と
を備える自動運転システムにおいて、
前記報知対象通行者認識演算部は更に、
前記前方走行環境情報取得部で取得した走行環境に基づいて前記自車両の走行する車道と前記報知対象通行者の通行する路側帯とを区画する路側物の有無を検出する路側物検出部と、
前記前方走行環境情報取得部で取得した走行環境に基づいて前記自車両の前方の横断歩道を検出する横断歩道検出部と、
前記前方走行環境情報取得部で取得した走行環境に基づいて認識した前記通行者が前記自車両の方向を向いているか否かを検出する通行者状態検出部と
を更に有し、
前記路側物検出部にて前記路側物が検出されず、或いは前記横断歩道検出部で横断歩道を検出した場合であって、該横断歩道に近接する路側帯に前記通行者が検出されており、且つ、前記通行者状態検出部で前記通行者が前記自車両の方向を向いていると判定した場合、該通行者を前記報知対象通行者と特定する報知対象通行者認識部と、
報知対象通行者認識部で前記報知対象通行者を特定した場合、該報知対象通行者の方角を求める対象者方角演算部と
を有し、
前記認識状態報知部は、前記対象者方角演算部で求めた前記報知対象通行者の方角に向けて前記認識状態を報知する
ことを特徴とする自動運転システム。
【請求項２】
前記認識状態報知部は、前記報知対象通行者に向けて報知する前記認識状態をフロントガラスに表示する
ことを特徴とする請求項１記載の自動運転システム。
【請求項３】
前記認識状態の報知は、プロジェクタユニットから出射されるメッセージを前記フロントガラスに投影することで行う
ことを特徴とする請求項２記載の自動運転システム。
【請求項４】
前記認識状態の報知は、前記フロントガラスを介して指向性を有する光線を投光することで行う
ことを特徴とする請求項２記載の自動運転システム。
【請求項５】
前記通行者状態検出部は、前記通行者が前記自車両の方向を向いているか否かを、該通行者の身体的特徴量から判定する
ことを特徴とする請求項１〜４の何れか１項に記載の自動運転システム。
【請求項６】
前記自車両の車速と予め設定されている報知判定車速とを比較する車速判定部
を更に有し、
前記報知対象通行者認識演算部は、前記車速判定部で前記自車両の車速が報知判定車速以下の場合に前記通行者が該自車両の方向を向いているか否かを調べる
ことを特徴とする請求項１〜５の何れか１項に記載の自動運転システム。
【発明の詳細な説明】
【技術分野】
【０００１】
本発明は、自動運転で走行している際に、路側帯を通行する通行者が報知対象通行者か否かを調べ、報知対象通行者と判定した場合は、この報知対象通行者に対して認識状態を報知する自動運転システムに関する。
【背景技術】
【０００２】
最近の車両技術分野においては、運転者の負担を軽減し、快適で且つ安全に走行させる自動運転システムが種々提案されている。この自動運転システムは、地図ロケータにて検出した自車両が走行している道路地図上の道路形状と、カメラユニット等のセンシングデバイスで検出した実際に走行している車線の道路形状との一致度を常に比較して、自車進行路を認識する。
【０００３】
そして、道路地図上の道路形状とセンシングデバイスで検出した車線の道路形状との一致度が高い場合に、自車両は目標進行路に沿って走行していると判定し、運転者にハンドルを把持させることなく、制御システムが運転主体となって自動運転を行う運転モード（自動運転モード）を継続させる。
【０００４】
その際、自動運転の継続が困難と判断された場合には、運転モードを、運転者にハンドル把持を要求する運転支援モードへ遷移させ、或いは、自動退避モードを実行させる。尚、この自動退避モードは、走行車線を、法定若しくは指定されている最低速度で走行させる。或いは、自車両を路側帯等の安全な場所へ誘導して停止させる。
【０００５】
自動運転モードによる走行では、基本的に、運転者はハンドルを把持する必要も、前方を常時視認する必要もなく、自動運転システムからハンドルの把持要求があるまでは、ある程度リラックスしていることができる。従って、自動運転モードでの走行中において運転者は、運転席に着座した状態で運転操作以外の行動（読書、携帯端末の操作等）を行うことが可能となる。
【０００６】
一方、自動運転システムは、自車両を自動運転により走行させるために、地図ロケータにより自車位置を認識し、ダイナミックマップに記憶されている自車両周辺の道路地図情報から、信号機、横断歩道、路側帯等の静的情報、及び交通量等の動的情報を取得する。又、車載カメラ等のセンシングデバイス、及び路車間通信等により、交通信号機の現示（点灯色）情報を取得する。更に、上述したセンシングデバイスによって、周囲の障害物、走行車両、通行者（歩行者、自転車運転者等）を認識する。
【０００７】
ところで、例えば、道路幅が狭い車道の路側帯を通行する通行者に対して車両が近づいてくる場合、或いは通行者が横断歩道を渡る際に、通行者が接近してくる車両を認識しても、接近する車両が通行者を認識しているか否かが解らない場合、通行者は不安感を抱くことになる。
【０００８】
自車両が自動運転モードで走行している場合、自動運転システムは当然通行者を認識しているが、通行者側からは、接近する車両が運転者のハンドル操作による手動運転によるものか、自動運転によるものかを明確に判別することはできない。
【０００９】
例えば、特許文献１（特開２０１５−１７４５４１号公報）には、自動運転システムが自車両に接近する通行者（接近者）を検出し、接触する可能性がある場合、当該通行者に対し自車両が認識している旨を、表示や音声で報知することで、通行者が抱く不安感を解消させるようにした車両状態報知装置が開示されている。
【先行技術文献】
【特許文献】
【００１０】
【特許文献１】特開２０１５−１７４５４１号公報
【発明の概要】
【発明が解決しようとする課題】
【００１１】
自動運転システムでは、接近する通行者を常時認識しているため、通行者とすれ違う際の横位置の距離が比較的狭い場合は、徐行或いは通行者が通過するまで停車させる。又、横断者用信号機が設置されていない横断歩道を通行者が横断しようとすれば、それを検知し、自車両を横断歩道の停止線手前で自動的に停止させる。そのため、通行者が接近する車両を認識していない場合であっても、それが自動運転システムにより自動運転している車両であれば、通行者の横を安全に通過し、或いは自動的に停車して通行者の通過を待つことになる。
【００１２】
従って、自動運転システムにより自動運転を行っている車両が通行者に接近する場合であっても、それを認識していない、或いは認識していても接近する車両は安全に通過することを予め把握している通行者は、本来、不安感を抱いていないので、敢えて、自車両が通行者に対して認識している旨の報知をする必要はない。
【００１３】
しかし、上述した文献に開示されている技術を自動運転システムに適用すると、自車両に近接する通行者を検出した場合、検出した通行者全員に対して認識していることを報知することになるため、不安感を抱いていない通行者に対しても不要な報知がなされてしまうという不都合がある。
【００１４】
本発明は、上記事情に鑑み、自車両が接近することに不安感を抱く通行者を的確に察知して、当該通行者の方角に向けて自車両が接近する旨を報知することで、当該通行者の不安感を解消させると共に、不必要な報知を減少させることのできる自動運転システムを提供することを目的とする。
【課題を解決するための手段】
【００１５】
本発明は、自車両を走行ルートに沿って自動走行させる車両制御演算部と、前記自車両前方の走行環境情報を取得する前方走行環境情報取得部と、前記前方走行環境情報取得部で取得した前記走行環境情報に基づいて前記自車両の接近を報知する対象となる通行者を認識する報知対象通行者認識演算部と、前記報知対象通行者認識演算部で報知対象となる前記通行者を認識した場合、該通行者に対して認識している旨の認識状態を報知する認識状態報知部とを備える自動運転システムにおいて、前記報知対象通行者認識演算部は更に、前記前方走行環境情報取得部で取得した走行環境に基づいて前記自車両の走行する車道と前記報知対象通行者の通行する路側帯とを区画する路側物の有無を検出する路側物検出部と、前記前方走行環境情報取得部で取得した走行環境に基づいて前記自車両の前方の横断歩道を検出する横断歩道検出部と、前記前方走行環境情報取得部で取得した走行環境に基づいて認識した前記通行者が前記自車両の方向を向いているか否か検出する通行者状態検出部とを更に有し、前記路側物検出部にて前記路側物が検出されず、或いは前記横断歩道検出部で横断歩道を検出した場合であって、該横断歩道に近接する路側帯に前記通行者が検出されており、且つ、前記通行者状態検出部で前記通行者が前記自車両の方向を向いていると判定した場合、該通行者を前記報知対象通行者と特定する報知対象通行者認識部と、報知対象通行者認識部で前記報知対象通行者を特定した場合、該報知対象通行者の方角を求める対象者方角演算部とを有し、前記認識状態報知部は、前記対象者方角演算部で求めた前記報知対象通行者の方角に向けて前記認識状態を報知する。
【発明の効果】
【００１６】
本発明によれば、通行者の通行する路側帯と車道とを区画する路側物が検出されず、或いは横断歩道を検出した場合であって、この横断歩道に近接する路側帯に通行者が検出されており、且つ、この通行者が自車両の方向を向いていると判定した場合、この通行者を報知対象通行者と特定し、特定した報知対象通行者の方角を求め、求めた報知対象通行者の方角に向けて認識状態を報知するようにしたので、自車両が接近することに不安感を抱く通行者を報知対象通行者として的確に察知し、この報知対象通行者の方角に向けて自車両が接近する旨を報知することができる。その結果、報知対象通行者不安感を解消させることができると共に、不安感をしだかない通行者に対する不必要な報知を減少させることができる。
【図面の簡単な説明】
【００１７】
【図１】自動運転システムの概略構成図
【図２】車道外側線を介して路側帯と区画されている車道を自動運転モードにより走行している車両の斜視図
【図３】路側物を介して路側帯と区画されている車道を自動運転モードにより走行している車両の斜視図
【図４】通行者認識状態報知処理ルーチンを示すフローチャート（その１）
【図５】通行者認識状態報知処理ルーチンを示すフローチャート（その２）
【図６】投影位置演算処理サブルーチンを示すフローチャート
【図７】横断歩道を渡ろうとしている通行者が接近する車両を認識している状態を示す説明図
【図８】自車両から報知対象通行者に対して認識状態を報知する態様を車室内から示す説明図
【図９】プロジェクタユニットの概略構成図
【図１０】自車両が報知対象通行者に近接するに従い、報知状態を表示する位置が移動する状態を示す説明図
【発明を実施するための形態】
【００１８】
以下、図面に基づいて本発明の一実施形態を説明する。図１に示す自動運転システム１は、自車両Ｍ（図２参照）に搭載されている。この自動運転システム１は、自車両Ｍの現在位置（自車位置）を検出すると共に目的地までの走行ルートを生成するロケータユニット１１、自車両Ｍ前方の走行環境情報を取得するカメラユニット２１、及び自動運転制御ユニット２３を有している。このロケータユニット１１、及びカメラユニット２１は一方が不調を来した場合には、他方のユニットで自動運転支援を一時的に継続させる冗長系が構築されている。そして、自動運転制御ユニット２３は、ロケータユニット１１とカメラユニット２１とから得られた情報を比較し、現在走行中の道路形状の一致度が高い場合に自動運転モードを継続させる。
【００１９】
ロケータユニット１１は道路地図上の自車位置を推定すると共に、この自車位置の周辺、及び前方の道路地図データを取得する。一方、カメラユニット２１は自車両Ｍが走行している車線（自車走行車線）の左右を区画する区画線の中央の道路曲率を求めると共に、この左右区画線の中央を基準とする自車両Ｍの車幅方向の横位置偏差を算出する。
【００２０】
ロケータユニット１１は、地図ロケータ演算部１２と高精度道路地図データベース１６とを有している。この地図ロケータ演算部１２、後述する前方走行環境情報取得部２１ｄ、及び自動運転制御ユニット２３は、ＣＰＵ，ＲＡＭ，ＲＯＭ、不揮発性記憶部等を備える周知のマイクロコンピュータ、及びその周辺機器で構成されており、ＲＯＭにはＣＰＵで実行するプログラムやデータテーブル等の固定データ等が予め記憶されている。
【００２１】
又、地図ロケータ演算部１２の入力側に、ＧＮＳＳ(Global Navigation Satellite System / 全球測位衛星システム)受信機１３、自律走行センサ１４、及び自動運転入力装置１５が接続されている。ＧＮＳＳ受信機１３は複数の測位衛星から発信される測位信号を受信する。
【００２２】
自律走行センサ１４は、トンネル内走行等、ＧＮＳＳ衛星からの受信感度が低く測位信号を有効に受信することのできない環境において、自律走行を可能にするもので、車速センサ、ヨーレートセンサ、及び前後加速度センサ等で構成されている。
【００２３】
又、自動運転入力装置１５は、搭乗者（主に運転者）が操作する端末装置であり、搭乗者は自動運転入力装置１５を操作して、自動運転スイッチのＯＮ／ＯＦＦ、目的地や経由地の情報（施設名、住所、電話番号等）の入力等、自動運転モードを実行させるために必要な情報を入力する。そして、この入力情報が地図ロケータ演算部１２で読込まれる。この地図ロケータ演算部１２は、自車位置推定演算部１２ａと走行ルート設定演算部１２ｂとを備えている。
【００２４】
又、高精度道路地図データベース１６はＨＤＤ等の大容量記憶媒体であり、高精度な周知の道路地図情報（ローカルダイナミックマップ）が記憶されている。この高精度道路地図情報は、基盤とする最下層の静的情報階層上に、自動走行をサポートするために必要な付加的地図情報が重畳された階層構造をなしている。付加的地図情報としては、道路の種別（一般道路、高速道路等）、道路形状、左右区画線、道路標識、停止線、交差点、信号機等の静的な位置情報、及び、渋滞情報や事故或いは工事による通行規制等の動的な位置情報が含まれている。尚、この道路地図情報（ローカルダイナミックマップ）は、図示しないクラウドサーバに記憶されて逐次更新されているグローバルダイナミックマップから、自車両Ｍを走行させる際に必要とする道路地図情報が読込まれて逐次更新される。
【００２５】
自車位置推定演算部１２ａは、ＧＮＳＳ受信機１３で受信した測位信号に基づき自車両Ｍの現在の位置座標（緯度、経度）を取得し、この位置座標を道路地図情報上にマップマッチングして、道路地図上の自車位置（現在位置）を推定する。その際、ＧＮＳＳ衛星からの受信感度が低く測位信号を有効に受信することのできない場合、地図ロケータ演算部１２は、自律走行センサ１４で受信した信号を読込む。
【００２６】
そして、車速センサで検出した車速、ヨーレートセンサで検出したヨーレート（ヨー角速度）、及び前後加速度センサで検出した前後加速度等に基づき移動距離と方位からローカライゼーションを行う。尚、車速センサで検出した車速は自動運転制御ユニット２３においても読込まれる。
【００２７】
走行ルート設定演算部１２ｂは、自車位置推定演算部１２ａで推定した自車位置の位置座標と、自動運転入力装置１５から入力された目的地（及び経由地）の位置座標（緯度、経度）とに基づき、高精度道路地図データベース１６に格納されているローカルダイナミックマップを参照する。
【００２８】
そして、自車位置と目的地（経由地が設定されている場合は、経由地を経由した目的地）とを結ぶ走行ルートを、予め設定されているルート条件（推奨ルート、最速ルート等）に従って生成する。尚、自動運転入力装置１５に設けた自動運転スイッチがＯＮであっても、目的地情報が入力されていない場合、走行ルート設定演算部１２ｂは自車両Ｍを、現在走行している車線に沿って直進させる走行ルートを生成する。
【００２９】
一方、カメラユニット２１は、自車両Ｍの車室内前部の上部中央に固定されており、車幅方向中央を挟んで左右対称な位置に配設されているメインカメラ２１ａ及びサブカメラ２１ｂからなる車載カメラ（ステレオカメラ）と、画像処理ユニット（ＩＰＵ）２１ｃ、及び前方走行環境情報取得部２１ｄとを有している。このカメラユニット２１は、メインカメラ２１ａで基準画像データを撮像し、サブカメラ２１ｂで比較画像データを撮像する。この両画像データはＩＰＵ２１ｃにて所定に画像処理される。
【００３０】
前方走行環境情報取得部２１ｄは、ＩＰＵ２１ｃで画像処理された基準画像データと比較画像データとを読込む。そして、基準画像データからパターンマッチング等によって対象物を認識し、又、基準画像データと比較画像データとの視差に基づいて両画像中の同一対象物の距離データ（自車両Ｍから対象物までの距離）を、三角測量の原理等を利用して算出し、これらを前方走行環境情報として取得する。更に、前方走行環境情報取得部２１ｄは、メインカメラ２１ａで撮像した基準画像データで撮像した同一対象物の単位時間当たりの画像内での移動から当該対象物の方角情報を取得する。尚、自車両Ｍから同一対象物までの距離及び方角は、自車両Ｍが当該対象物に接近するに従って変化する。
【００３１】
この前方走行環境情報取得部２１ｄが前方走行環境情報として取得する対象物には、上述した自車走行車線の左右を区画する区画線の情報以外に、静的情報として、路側帯、横断歩道、停止線、道路標識、車両用信号機、路側帯と車道との境界に設置された路側物（ガードレール、ラバーポール、植え込み、縁石等）等が含まれる。更に、前方走行環境情報として取得する動的情報の対象物として、自車両Ｍの前方を走行する先行車（二輪車を含む）、路側帯を通行する通行者、及び、取得した車両用信号機の信号現示（点灯色）等が含まれる。
【００３２】
尚、「路側帯」は、厳密には歩道が設けられていない道路（又は設けられていない側）において、道路（路面）標示によって区画することにより設けられた通行者用の通路を云う。従って、車道と路側帯とは段差無く続いていることになる。因みに、「歩道」は、道路を縁石やガードレールなどによって物理的に区画することにより設けられた通行者用の通路を云う。しかし、本実施形態において「路側帯」と「歩道」とを厳格に峻別することは内容を却って分かり難くするだけであるため、これらを総称して「路側帯」とする。
【００３３】
又、本実施形態においては、「通行者」は路側帯を移動する者を示し、その代表として歩行者を示すが、通行者はこれに限定されるものではなく、自転車運転者も含まれる。従って、以下においては、歩行者を通行者３５（図７参照）と称して説明する。
【００３４】
又、前方走行環境情報取得部２１ｄは、認識した通行者の身体の向き、即ち、通行者が自車両Ｍの方向（より詳しくは、運転席方向）を向いているか否かを調べる。通行者が自車両Ｍの方向（より詳しくは、運転席方向）を向いているか否かは身体的特徴量から判定する。身体的特徴量として、例えば、顔であれば、予め設定されている顔の特徴量（目、鼻、口、あご等）と比較して判定する。或いは上半身や目の動きの特徴量を比較して判定しても良い。
【００３５】
尚、これらの対象物の少なくとも一部は、カメラユニット２１に代えて、超音波センサ、ミリ波レーダやライダー（LIDAR;Light Detection and Ranging）等のセンシングデバイスによって検出しても良く、或いはカメラユニット２１とセンシングデバイスとの組み合わせによって検出するようにしても良い。更に、上述した静的情報は、高精度道路地図データベース１６に記憶されているローカルダイナミックマップから取得することも可能である。
【００３６】
又、自動運転制御ユニット２３の入力側にカメラユニット２１の前方走行環境情報取得部２１ｄ、地図ロケータ演算部１２、路車間情報取得部２２が接続されている。路車間情報取得部２２は道路に設置されている路側機からの情報を路車間通信により取得するもので、取得する情報としては車両用信号機までの距離、及び車両用信号機や横断者用信号機の信号現示（点灯色）等がある。
【００３７】
一方、この自動運転制御ユニット２３の出力側に、自車両Ｍを走行ルートに沿って走行させる操舵制御部２６、強制ブレーキにより自車両Ｍを減速させるブレーキ制御部２７、自車両Ｍの車速を制御する加減速制御部２８、及び認識状態報知部２９が接続されている。この認識状態報知部２９は、フロントガラスＭｇ（図８参照）にメッセージを投影する複数のプロジェクタユニット３１を有している。尚、このプロジェクタユニット３１の詳細については後述する。
【００３８】
上述した自動運転制御ユニット２３は、車両制御演算部２３ａと報知対象通行者認識演算部２３ｂとを備えている。車両制御演算部２３ａは、操舵制御部２６、ブレーキ制御部２７、加減速制御部２８を所定に制御して、ＧＮＳＳ受信機１３で受信した自車位置を示す測位信号に基づき、自車両Ｍを走行ルート設定演算部１２ｂで生成した走行ルートに沿って自動走行させる。
【００３９】
その際、車両制御演算部２３ａは、カメラユニット２１の前方走行環境情報取得部２１ｄで取得した前方走行環境情報、及び、路車間情報取得部２２で取得した車両用信号機までの距離、及びその現示（点灯色）を検出する。そして、車両用信号機までの距離が所定距離に達した際に、車両用信号機の信号現示が赤色の場合は減速制御を開始させて、横断歩道３２手前の停止線３２ａ（図７参照）で所定に停車させる。更に、この車両制御演算部２３ａは、図７に示すような車両用信号機が設置されていない横断歩道３２であっても、この横断歩道３２を横断しようとする通行者（図においては歩行者）３５を認識した場合、手前の停止線３２ａで自動停止させる。
【００４０】
その際、報知対象通行者認識演算部２３ｂは、横断歩道３２を渡ろうとする通行者３５（図７には左右の通行者３５を示す）を検出した場合、当該通行者３５が、接近する車両（自車両Ｍ）が停止線３２ａで停車するかどうかの不安感を抱いているかどうかを調べる。そして、不安感を抱いていると判定した場合、認識状態報知部２９に対し、認識している旨のメッセージ表示指令を送信する。
【００４１】
認識状態報知部２９は報知対象通行者認識演算部２３ｂからの指令信号に従い、各プロジェクタユニット３１を動作させて、自車両ＭのフロントガラスＭｇにメッセージを投影する。図９にプロジェクタユニット３１の構成を例示する。認識状態報知部２９に設けられている複数のプロジェクタユニット３１は、同一の構成を有しており、主な構成部品として、発光側から画像表示部３１ａ、投射レンズ３１ｂ、可動式光学ミラー３１ｃを有している。又、画像表示部３１ａは、バックライト（光源）と液晶表示素子を代表とする表示素子を有している。
【００４２】
プロジェクタユニット３１は、画像表示部３１ａから出射される報知対象通行者認識演算部２３ｂで設定したメッセージをフロントガラスＭｇに表示（投影）させる。又、可動式光学ミラー３１ｃは、画像表示部から投射され、投射レンズ３１ｂを介して拡大されたメッセージをフロントガラスＭｇの方向へ反射させ、このフロントガラスＭｇに、外方に向けて表示させるメッセージを投影するものである。この可動式光学ミラー３１ｃは反射面３１ｄを上下左右に揺動させる駆動部３１ｅを有し、報知対象通行者認識演算部２３ｂからの指令に従い、フロントガラスＭｇに対するメッセージの投影位置を可変させる。
【００４３】
本実施形態では、認識状態報知部２９内に、左右一対のプロジェクタユニット３１が車幅方向に所定間隔を開けて配設されている。
【００４４】
認識状態報知部２９が、プロジェクタユニット３１を駆動させてフロントガラスＭｇの投影位置Ｍｌ，Ｍｒに投影するメッセージは、横断歩道３２を渡ろうとしている通行者３５であって、自車両Ｍ側を向いている者に対して行うものである。そのため、例えば、報知対象通行者認識演算部２３ｂが認識状態報知条件を満足する通行者（以下、「報知対象通行者３６」とする）が左右の路側帯３４で認識された場合は、両報知対象通行者３６に対してメッセージを送る。左右の路側帯３４の一方を通行する通行者のみが報知対象通行者３６と認識された場合は、その者に対してのみメッセージを送る。
【００４５】
図７、図８に示すように、フロントガラスＭｇに対するメッセージの投影位置（左投影位置Ｍｌ、右投影位置Ｍｒ）は、報知対象通行者認識演算部２３ｂで求めた報知対象通行者３６（図においては、左右に側報知対象通行者３６を示す）の方角と、運転席に着座する一般的な運転者の目線に相当する予め設定された注視位置Ｍｓとを結ぶ線上であって、フロントガラスＭｇを透過する位置に設定される。
【００４６】
ところで、図１０に白抜き矢印で示すように、横断歩道を渡ろうとしている左右の報知対象通行者３６に自車両Ｍが接近するに従い、報知対象通行者３６と注視位置Ｍｓとを結ぶ線は次第に移動する。報知対象通行者認識演算部２３ｂは、報知対象通行者３６の方角から、フロントガラスＭｇに対するメッセージの投影位置Ｍｌ，Ｍｒを求め、プロジェクタユニット３１の駆動部３１ｅを駆動させて、当該投影位置Ｍｌ，Ｍｒにメッセージを投影させる。
【００４７】
上述した報知対象通行者認識演算部２３ｂで実行される認識状態報知条件の判定、及び報知対象通行者３６に対する認識状態の報知処理は、具体的には図４、図５に示す通行者認識状態報知処理ルーチンに従って行われる。
【００４８】
このルーチンでは、先ず、ステップＳ１で、地図ロケータ演算部１２からの信号に基づき、運転モードが自動運転モードか否かを調べる。そして、自動運転スイッチがＯＮで、且つ運転モードとして自動運転モードが選択されている場合はステップＳ２へ進み、自動運転スイッチがＯＦＦ、或いは運転支援モード等、自動運転モード以外の運転モードが選択されている場合は、ルーチンを抜ける。
【００４９】
ステップＳ２へ進むと、前方走行環境情報取得部２１ｄで取得した前方走行環境情報に基づき、前方設定近距離以内の車道外側線３３ａの外側に設定されている路側帯３４を通行する通行者３５を検出する。この前方設定近距離は、横断歩道３２を渡ろうとする通行者３５が車両（自車両Ｍ）の接近に対して不安感を抱く距離であり、予め実験等に基づいて設定されている。因みに、本実施形態では、前方設定近距離を、自車両Ｍ前方１０〜２０[m]以内に設定されている。又、路側帯３４の情報は道路地図情報（静的情報）から取得するようにしても良い。
【００５０】
次いで、ステップＳ３へ進み、路側帯３４を通行する通行者３５が検出されたか否かを調べ、検出されない場合は、ルーチンを抜ける。又、通行者３５を検出した場合は、ステップＳ４へ進む。そして、ステップＳ４〜Ｓ８において、検出した通行者３５に対して認識状態報知条件が満足されているか否かの判定を行う。
【００５１】
先ず、ステップＳ４では、検出した通行者３５が自車両Ｍの方向を向いているか否かを調べ、向いている場合は、ステップＳ５へ進む。又、向いていない場合は、ルーチンを抜ける。通行者３５が自車両Ｍの方向を向いているか否かは、例えば、上述したように通行者３５の身体的特徴量を比較して判定する。尚、このステップＳ４での処理が、本発明の通行者状態検出部に対応している。
【００５２】
その後、ステップＳ５へ進むと、自車両Ｍの前方設定近距離（例えば、１０〜２０[m]）以内に横断歩道３２を認識したか否かを、前方走行環境情報取得部２１ｄで取得した前方走行環境情報、或いは道路地図情報の静的情報に基づいて調べる。そして、横断歩道を認識しない場合は、ステップＳ７へジャンプする。又、横断歩道を認識した場合は、ステップＳ６へ進む。尚、このステップＳ５での処理が、本発明の横断歩道検出部に対応している。
【００５３】
ステップＳ６では、ステップＳ３で認識した通行者３５が、ステップＳ５で認識した横断歩道３２を渡ろうとしているか否かを調べる。通行者３５が横断歩道３２を横断しようとしているか否かは、例えば、前方走行環境情報取得部２１ｄで取得した当該通行者３５が路側帯３４側から横断歩道３２側へ移動しているか否かで判定する。
【００５４】
そして、通行者３５が横断歩道３２を渡ろうとしていると判定した場合は、ステップＳ８へ進む。又、通行者３５が横断歩道３２を渡ろうとしていない場合、即ち、通行者３５が路側帯３４を通行していると判定した場合は、ステップＳ７へ分岐する。
【００５５】
尚、この場合、信号機が設置されているか否かを判定条件として加え、横断歩道３２に信号機が設置されている場合は、通行者３５が渡ろうとしている場合であっても、ルーチンを抜けるようにしても良い。即ち、信号機が設置されている横断歩道３２を通行者３５が渡ろうとしている状態は、車両用信号機の信号現示は赤色で、自車両Ｍは横断歩道３２手前の停止線３２ａで停止しようとして減速しているため、通行者３５が不安感を抱くことは無いと考えられる。
【００５６】
又、ステップＳ５、或いはステップＳ６からステップＳ７へ進むと、路側帯３４と車道３３とが路側物３７（図３参照）で区画されているか否かを調べる。この路側物３７は、ガードレール、ラバーポール、植え込み、縁石等、車道３３から路側帯３４を物理的に区画する立体物であり、多くの場合、車道外側線３３ａの路側帯３４側に設置されている。尚、路側物３７で車道３３と路側帯３４とが区画されているか否かは、前方走行環境情報取得部２１ｄで取得した前方走行環境情報、或いは道路地図情報の静的情報に基づいて判定する。又、このステップでの処理が、本発明の路側物検出部に対応している。
【００５７】
そして、通行者３５が通行する路側帯３４と車道３３とが車道外側線３３ａによってのみ区画されている、即ち、路側物３７によって物理的に区画されていないと判定した場合はステップＳ８へ進む。又、車道３３と路側帯３４とが路側物３７で区画されていると判定した場合はルーチンを抜ける。尚、図３には路側物３７として縁石が例示されている。
【００５８】
即ち、図２に示すように、車道３３と路側帯３４とが車道外側線３３ａによってのみ区画されている場合、通行者３５は接近する車両（自車両Ｍ）に対し、接触するかもしれないという不安を抱き易くなる。これに対し、図３に示すように、車道３３と路側帯３４とが路側物（例えば、縁石）３７で区画されていれば、路側帯３４を通行する通行者３５は自車両Ｍに接触すると云う不安感は抱き難い。
【００５９】
その後、ステップＳ８へ進むと、車両制御演算部２３ａで設定した目標車速と報知判定車速とを比較する。自車両Ｍが自動運転モードで走行している場合、前方の路側帯３４を通行する通行者３５を認識しても、例えば、車線幅か広い一般道路の走行では減速することなく巡航させることができ、その際、通行者３５に不安を抱かせることはない。尚、このステップでの処理が、本発明の車速判定部に対応している。
【００６０】
自車両Ｍが自動運転モードで走行している際に、車両制御演算部２３ａは通行者３５を含む障害物を常時認識している。そして、障害物を通過するに際しては、安全に通過可能な目標車速を設定し、各制御部２６〜２８を制御する。その際、自車両Ｍが市街地路等、幅の狭い車道３３を自動運転モードで走行するに際し、路側帯３４に通行者３５を検出した場合、すれ違う際の間隔（幅）が狭くなるに従い目標車速は低く設定される。又、その間隔が極めて狭い場合は、停車して通行者３５が通過するまで待機することになる。
【００６１】
しかし、通行者３５側からは自車両Ｍが自動運転モードによる走行であるか否かを判別することはできない。そのため、通行者３５の立場からすれば、接近する車両（自車両Ｍ）が自分（通行者３５）を認識しているかどうか不安になり、その度合は、すれ違う際の間隔（幅）が狭いほど、換言すれば、目標車速が低速側に設定されるほど顕著になる。尚、この場合、目標車速に代えて、車速センサで検出した実際の車速と報知判定車速とを比較してもよいが、目標車速と比較することで、通行者３５に対して瞬時に対応することができる。
【００６２】
そして、目標車速が報知判定車速を超えている場合、車線幅が比較的広く、通行者は接近する自車両Ｍに対して不安感を抱いていないと判定し、ルーチンを抜ける。一方、目標自車速が報知判定車速以下の場合は、ステップＳ９へ進む。
【００６３】
上述したように、自車両Ｍが自動運転モードで走行している場合、車両制御演算部２３ａは、前方設定距離以内の通行者３５を常時認識し、横断歩道３２を横断している、或いは横断しようとしている通行者３５を検出した場合、自車両Ｍは横断歩道３２手前の停止線３２ａで必ず停止する。そのため、不安感を抱いている通行者３５に対してのみ自車両Ｍが認識していることを報知すれば良く、不安感を抱いていない通行者３５に対して報知する必要は無い。
【００６４】
従って、自車両Ｍが、路側物３７で区画されていない路側帯３４を通行し、或いは、横断歩道３２を通行者３５が横断しようとしている際に、自車両Ｍが接近しても当該通行者３５が自車両Ｍの方向を向いていない場合は不安感を抱いていないと判定する。
【００６５】
ステップＳ９では、上述したステップＳ４〜Ｓ８の認識状態報知条件を満足した通行者３５を報知対象通行者３６として特定し、ステップＳ１０へ進む。尚、図７における通行者３５が認識状態報知条件を満足した報知対象通者として特定されているため、符号３６を括弧書きで付す。又、このステップＳ９での処理が、本発明の報知対象通行者認識部に対応している。
【００６６】
ステップＳ１０では、特定した報知対象通行者３６に対してメッセージを表示するためのフロントガラスＭｇの投影位置Ｍｌ，Ｍｒを求める。この投影位置Ｍｌ，Ｍｒは、図６に示す投影位置演算処理サブルーチンに従って求められる。
【００６７】
このサブルーチンでは、先ず、ステップＳ２１で、前方走行環境情報取得部２１ｄで求めた報知対象通行者３６の方角情報を取得する。前方走行環境情報取得部２１ｄは、メインカメラ２１ａで撮像した基準画像データで撮像した同一対象物の単位時間当たりの画像内での移動から方角を算出する。報知対象通行者３６が複数検出された場合は、各報知対象通行者３６の方角を求める。尚、この方角は自車両Ｍと報知対象通行者３６との距離が短くなるに従い、図１０に示すように連続的に変化する。又、このステップＳ２１での処理が、本発明の対象者方角演算部に対応している。
【００６８】
次いで、ステップＳ２２へ進み、ステップＳ２１で算出した報知対象通行者３６の方角と運転席に着座する一般的な運転者の目線に相当する予め設定された注視位置Ｍｓとを結ぶ線上であって、フロントガラスＭｇを透過する位置を求め、この位置を投影位置Ｍｌ，Ｍｒとして特定する。尚、報知対象通行者３６が左右の路側帯３４の一方のみに検出された場合は、対応する側の投影位置（Ｍｌ又はＭｒ）のみが算出される。
【００６９】
更に、一つの路側帯に複数の報知対象通行者３６が検出された場合、手前の報知対象通行者３６から、先の報知対象通行者３６まで投影位置Ｍｌ，Ｍｒを連続的に移動させて、全員に報知する。即ち、報知対象通行者３６は、自車両Ｍからのメッセージを認識した場合、不安感が解消され、自車両Ｍ方向に向けている姿勢を自己の進む方向へ戻す。そのため、手前の報知対象通行者３６から順にメッセージを報知すれば良いことになる。従って、認識状態報知部２９は、少なくとも左右一対のプロジェクタユニット３１を備えていれば、ほぼ全員の報知対象通行者３６に対してメッセージを報知することが可能となる。
【００７０】
次いで、ステップＳ２３へ進み、左右一対のプロジェクタユニット３１の駆動部３１ｅに対して投影位置Ｍｌ，Ｍｒに対応する駆動信号を送信して、通行者認識状態報知処理ルーチンのステップＳ１１へ進む。プロジェクタユニット３１に設けられている可動式光学ミラー３１ｃは、報知対象通行者認識演算部２３ｂからの駆動信号にて駆動部３１ｅを駆動させる。すると、反射面３１ｄが、画像表示部３１ａから出射されるメッセージをフロントガラスＭｇの投影位置Ｍｌ，Ｍｒ方向へ反射させる位置にセットされる。
【００７１】
次いで、通行者認識状態報知処理ルーチンのステップＳ１１へ進むと、報知対象通行者３６に向けて、自車両Ｍは報知対象通行者３６を認識している旨を報知すべく、認識状態報知部２９に報知指令信号を送信する。
【００７２】
すると、認識状態報知部２９は、報知対象通行者認識演算部２３ｂから報知指令信号を受けて、対応するメッセージをプロジェクタユニット３１の画像表示部３１ａに設けられている表示素子に表示させる。すると、この表示素子に表示されたメッセージが反射面３１ｄで反射されて、フロントガラスＭｇの投影位置Ｍｌ，Ｍｒに投影される。
【００７３】
その結果、フロントガラスＭｇの投影位置Ｍｌ，Ｍｒに「通行者を認識している」旨のメッセージが表示されて報知対象通行者３６に報知される。報知対象通行者３６は、このメッセージを認識することで不安感が解消し、安心感を覚える。又、報知対象通行者３６に対してのみメッセージを報知することで、自車両Ｍの接近に不安を抱いていない通行者３５に対しては、メッセージを報知することによる不快感や煩わしさを覚えさせることがない。又、このメッセージは、各報知対象通行者３６に対して個別に報知されるため、各報知対象通行者３６に対してより確実に安心感を与えることができる。
【００７４】
尚、このメッセージは、文章である必要は無く、視覚的に認識されれば良いので、予め決められているメッセージ色（例えば、青色）、或いは、予め決められたピクトグラムやシンボルマークを表示させるようにしても良い。
【００７５】
その後、ステップＳ１２へ進み、自車両Ｍが停車のための減速中か否かを車両制御演算部２３ａでの制御状態に基づいて判定する。そして、停車のための減速が実行されていない場合は、ルーチンを抜ける。一方、停車のための減速が検出された場合は、ステップＳ１３へ進む。ステップＳ１３では、自車両Ｍが減速中である旨を、上述した通行者３５に対して報知すべく、認識状態報知部２９に報知指令を出力して、ルーチンを抜ける。
【００７６】
認識状態報知部２９は、報知対象通行者認識演算部２３ｂから報知指令信号を受けると、「停車のために減速している」旨のメッセージをプロジェクタユニット３１の画像表示部３１ａに設けられている表示素子に表示させる。すると、この画像表示部３１ａに表示されたメッセージが反射面３１ｄで反射されて、フロントガラスＭｇの投影位置Ｍｌ，Ｍｒに投影され、報知対象通行者３６に報知される。
【００７７】
尚、このメッセージは、文章である必要は無く、報知対象通行者３６に向けて、予め決められているメッセージ色（例えば、青色）を点滅させるようにしても良い。或いは、予め決められたピクトグラムやシンボルマークを表示させるようにしても良い。
【００７８】
その結果、例えば、信号機の設置されていない横断歩道３２を渡ろうとしている報知対象通行者３６は、自車両Ｍが停止線３２ａで停止するのを確認すること無く、安心して横断歩道３２を渡ることができる。
【００７９】
このように、本実施形態によれば、路側帯３４を通行する通行者３５に対して認識状態報知条件が満足されているか否かを調べるようにしたので、自車両Ｍが接近することに不安感を抱く通行者を的確に察知することができる。そして、認識状態報知条件が満足された通行者３５を報知対象通行者３６と特定し、当該報知対象通行者３６に対してのみ、自車両Ｍは当該報知対象通行者３６を認識している旨のメッセージを報知するようにしたので、報知対象通行者３６の不安感を解消し、安心感を与えることができる。
【００８０】
又、報知対象通行者３６の方角を算出し、この報知対象通行者３６と運転席に着座する一般的な運転者の目線に相当する予め設定された注視位置Ｍｓとを結ぶ線を透過するフロントガラスＭｇの位置を求め、当該位置を投影位置Ｍｌ，Ｍｒとして設定し、プロジェクタユニット３１からのメッセージを投影位置Ｍｌ，Ｍｒに表示させるようにしたので、各報知対象通行者３６に対して個別にメッセージが報知することができる。そのため、各報知対象通行者３６の不安感をより確実に解消して、安心感を与えることができるばかりでなく、不要な報知を減少させることができる。
【００８１】
尚、本発明は、上述した実施形態に限るものではなく、例えば自車両Ｍにドライバモニタリングシステムを搭載し、運転者の視線が、自車両Ｍの方向を向いている通行者３５に向けられていることを検出した場合、当該通行者３５に対しては、メッセージを報知しないという条件を、認識状態報知条件に加えても良い。
【００８２】
又、認識状態報知部２９は、プロジェクタユニット３１の画像表示部３１ａに代えて、可視光線の一例であるＬＥＤライトを設け、このＬＥＤライトからの光線を投影位置Ｍｌ，Ｍｒに投射するようにしても良い。
【符号の説明】
【００８３】
１…自動運転システム、
１１…ロケータユニット、
１２…地図ロケータ演算部、
１２ａ…自車位置推定演算部、
１２ｂ…走行ルート設定演算部、
１３…ＧＮＳＳ受信機、
１４…自律走行センサ、
１５…自動運転入力装置、
１６…高精度道路地図データベース、
２１…カメラユニット、
２１ａ…メインカメラ、
２１ｂ…サブカメラ、
２１ｃ…画像処理ユニット（ＩＰＵ）、
２１ｄ…前方走行環境情報取得部、
２２…路車間情報取得部、
２３…自動運転制御ユニット、
２３ａ…車両制御演算部、
２３ｂ…報知対象通行者認識演算部、
２６…操舵制御部、
２７…ブレーキ制御部、
２８…加減速制御部、
２９…認識状態報知部、
３１…プロジェクタユニット、
３１ａ…画像表示部、
３１ｂ…投射レンズ、
３１ｃ…可動式光学ミラー、
３１ｄ…反射面、
３１ｅ…駆動部、
３２…横断歩道、
３２ａ…停止線、
３３…車道、
３３ａ…車道外側線、
３４…路側帯、
３５…通行者、
３６…報知対象通行者、
３７…路側物、
Ｍ…自車両、
Ｍｇ…フロントガラス、
Ｍｌ，Ｍｒ…投影位置、
Ｍｓ…注視位置
【図１】
2020131876.tif 000003
【図２】
2020131876.tif 000004
【図３】
2020131876.tif 000005
【図４】
2020131876.tif 000006
【図５】
2020131876.tif 000007
【図６】
2020131876.tif 000008
【図７】
2020131876.tif 000009
【図８】
2020131876.tif 000010
【図９】
2020131876.tif 000011
【図１０】
2020131876.tif 000012